(57)【要約】【課題】携帯電話機によるナビゲーション機能を用いて、携帯電話機の所有者の現在位置情報を自動的に取得し、予め指定した通知先へ自動的に通知することができる現在位置情報自動取得機能付携帯電話機を提供することを目的とする。【解決手段】全体制御部１１０とアンテナ１２２を介して外部と通信する通信制御部１２０と入力部１３０と出力部１４０と記憶部１５０と現在位置取得部１６０と現在位置情報送出部１７０と電源制御部１８０とを有し、入力部１３０は通知先電話番号及びメールアドレス設定部１３２と現在位置情報送出時刻及び送出時間間隔設定部１３４を備え、現在位置取得部１６０は地上基地局位置情報取得部及１６２及びＧＰＳ情報取得部１６４を備える携帯電話機。【選択図】　　　　図２
2004015718.tif 000002
【特許請求の範囲】
【請求項１】
全体制御部とアンテナを介して外部と通信する通信制御部と入力部と出力部と記憶部と現在位置情報取得部と現在位置情報送出部と電源制御部とを有する携帯電話機であって、
入力部は、通知先電話番号及びメールアドレス設定部と現在位置情報送出時刻及び送出時間間隔設定部を備えることを特徴とする現在位置情報自動取得機能付携帯電話機。
【請求項２】
現在位置取得部は、地上基地局位置情報取得部とＧＰＳ情報取得部とを備えることを特徴とする請求項１に記載の現在位置情報自動取得機能付携帯電話機。
【請求項３】
任意、及び／又は設定した時刻又は時間間隔で、指定した通知先へ自動的に取得した現在位置情報を携帯電話機のＩＤを付加して自動的に送出する機能を有することを特徴とする請求項１又は請求項２に記載の現在位置情報自動取得機能付携帯電話機。
【請求項４】
現在位置情報を要求された場合、現在位置情報を自動的に取得し、指定した通知先へその現在位置情報を携帯電話機のＩＤを付加して自動的に送出する機能を有することを特徴とする請求項１又は請求項２に記載の現在位置情報自動取得機能付携帯電話機。
【発明の詳細な説明】
【０００１】
【発明の属する技術分野】
本発明は、現在位置情報を自動的に取得する機能を有する現在位置情報自動取得機能付携帯電話機に関する。
【０００２】
【従来の技術】
ＧＰＳ衛呈を利用して現在位置情報を高精度で得るシステムがカーナビゲーションシステム等で使用されている。
最近では、このＧＰＳを利用した現在位置の情報を携帯電話機でも利用できるサービスが提供されている。
【０００３】
【発明が解決しようとする課題】
本発明は、上述した携帯電話機によるナビゲーション機能を用いて、携帯電話機の所有者の現在位置情報を自動的に取得し、予め指定した通知先へ自動的に通知（送出）することができる現在位置情報自動取得機能付携帯電話機を提供することを目的とする。
【０００４】
【課題を解決するための手段】
上記目的を達成するために、本発明の現在位置情報自動取得機能付携帯電話機は、全体制御部とアンテナを介して外部と通信する通信制御部と入力部と出力部と記憶部と現在位置取得部と現在位置情報送出部と電源制御部とを有し、入力部は、通知先電話番号及びメールアドレス設定部と現在位置情報送出時刻及び送出時間間隔設定部を備える。
【０００５】
また現在位置取得部は、地上基地局位置情報取得部とＧＰＳ情報取得部とを備える。
さらに任意、及び／又は設定した時刻又は時間間隔で、指定した通知先へ自動的に取得した現在位置情報を携帯電話機のＩＤを付加して自動的に送出する機能を有する。
またさらに現在位置情報を要求された場合、現在位置情報を自動的に取得し、指定した通知先へその現在位置情報を携帯電話機のＩＤを付加して自動的に送出する機能を有する。
【０００６】
【発明の実施の形態】
本発明の実施の形態を実施例にもとづき図面を参照して説明する。
図１は、本発明の携帯電話機を利用した位置情報検知システムの説明図である。
地球上空に打ち上げられた複数のＧＰＳ衛星Ｓ１、Ｓ２、Ｓ３が発信する電波信号Ｗ１、Ｗ２、Ｗ３を受信することにより、利用者Ｐは携帯電話機１０により、現在位置を知ることができる。
【０００７】
これらのＧＰＳ信号に代えて、地球上に固定されたＧＰＳ基地局Ｇ１からの電波Ｗ４を受信して、現在位置情報を得ることもできる。またこのＧＰＳ基地局Ｇ１からの電波Ｗ４を受信し、上記ＧＰＳ衛星Ｓ１、Ｓ２、Ｓ３が発信する電波信号Ｗ１、Ｗ２、Ｗ３を受信して得られた現在位置情報を補正することにより、極めて精度の高い位置情報を得ることもできる。
また、携帯電話機１０の表示画面２０により、現在地の地図情報３０を表示することができる。
【０００８】
本発明は、上述した機能を用いて、携帯電話機１０を所持する人Ｐの現在位置情報を自動的に取得して、予め設定した通知先へ電話又はメールで自動的に携帯電話機のＩＤを付加して通知することができるものである。
【０００９】
図２は、本発明の携帯電話機が具備する構成のブロック図である。
全体を符号１００で示す携帯電話機は、全体制御部１１０を有し、全体を制御する。送受信制御部１２０はアンテナ１２２を介して外部との通信を行う。入力部１３０は通知先電話番号及びメールアドレス設定部１３２と現在位置情報送出時刻及び送出時間間隔設定部１３４を備える。出力部１４０は地図情報３０等の画像情報を表示する。記憶部１５０は取得した情報及び設定した情報等を記憶する。
【００１０】
現在位置取得部１６０は地上基地局位置情報取得部１６２及びＧＰＳ情報取得部１６４を備える。現在位置情報送出部１７０は指定した通知先に携帯電話機のＩＤを付加して現在位置情報を自動的に送出（送信）する。電源制御部１８０は、携帯電話機全体に必要な電力を供給する。
【００１１】
携帯電話機に入力部１３０により予め通知先電話番号又はメールアドレスを指定しておくことにより、携帯電話機を所持する人Ｐが移動する現在位置は自動的に取得されて、その位置情報に携帯電話機のＩＤが付加されて自動的に指定された通知先へ通知されるので、その通知を受けて携帯電話機を所持する人Ｐの現在位置を容易に確認することができる。
【００１２】
図３は、携帯電話機により現在位置情報を自動的に取得し、自動的に通知する場合のフロー図である。
ステップＳ１０でスタートし、ステップＳ１１で指定通知先の電話番号又はメールアドレスを設定する。ステップＳ１２で現在位置情報が要求されているかチェックし、要求されていなければ終了し（ステップＳ１８）、要求されていれば、ステップＳ１３でＧＰＳが接続されているかチェックし、接続されていれば、ステップＳ１４でＧＰＳから現在位置情報を自動的に取得し、当携帯電話機の記憶部へ格納する。
【００１３】
ステップＳ１６で指定された通知先へ送出（送信）するかチェックし、送出しないのであれば終了し（ステップＳ１８）、送出するのであれば、当携帯電話機のＩＤを付加して現在位置情報を自動的に送出（送信）して、終了する（ステップＳ１８）。
【００１４】
ステップＳ１３でＧＰＳが接続されていない場合は、ステップＳ１５で当携帯電話機が通信している基地局の現在位置情報を自動的に取得して、携帯電話機内に格納してステップＳ１６へ進む。
このようにして携帯電話機１００を所持した人Ｐの現在位置を確認することができる。
【００１５】
図３では任意に現在位置情報の要求がある場合に、携帯電話機が現在位置情報を自動的に取得し、指定先に自動的に通知するフローを示したが、予め現在位置情報送出時刻又は送出時間間隔を設定しておくことにより、設定した時刻又は時間間隔毎に、携帯電話機が現在位置情報を自動的に取得し、指定先に携帯電話機のＩＤを付加して自動的に通知するようにすることもできる。
【００１６】
またこのような場合にも、任意に現在位置情報の要求があると、現在位置情報を自動的に取得し、指定先に携帯電話機のＩＤを付加して自動的に通知するようにすることもできる。
さらに現在位置情報の要求がなくても、携帯電話機を所持した人が、任意の位置で現在位置取得の操作をして、現在位置情報を自動的に取得し、指定先に携帯電話機のＩＤを付加して自動的に通知するようにすることもできる。
【００１７】
【発明の効果】
本発明によれば、予め通知先電話番号又はメールアドレスを指定しておくことにより、任意、及び／又は設定した時刻又は時間間隔で、携帯電話機を所持する人Ｐが移動する現在位置が自動的に取得されて、指定された通知先へ携帯電話機のＩＤを付加して自動的に通知されるので、その通知を受けて携帯電話機を所持する人Ｐの現在位置を容易に確認することができる。
【図面の簡単な説明】
【図１】本発明の携帯電話機を利用した位置情報検知システムの説明図。
【図２】本発明の携帯電話機が具備する構成のブロック図。
【図３】本発明の携帯電話機により現在位置情報を自動的に取得し、自動的に通知する場合のフロー図。
【符号の説明】
１０　携帯電話機
２０　表示画面
３０　地図
Ｓ１，Ｓ２，Ｓ３　ＧＰＳ衛星
Ｇ１　ＧＰＳ地上基地局
【図１】
2004015718.tif 000003
【図２】
2004015718.tif 000004
【図３】
2004015718.tif 000005